(57)【特許請求の範囲】
【請求項１】
住宅の天井裏内と住宅外とを仕切る外壁に設けた給気口及び排気口と、上記天井裏内と各室内を仕切る天井に設けた外気吹出口及び室内排気口と、上記外気吹出口に設けた外気処理用フィルター装置と、上記外気処理用フィルター装置と上記給気口とを連通した給気ダクトと、上記排気口と上記室内排気口とを連通した排気ダクトと、上記排気ダクトに設けた排気装置とよりなり、上記外気処理用フィルター装置が、中空筐体と、上記中空筐体の室側の面に設けた上記室内吹出口に連通する室内側吹出口と、上記中空筐体の夫々両側面に設けた、天井裏側吹出口と、上記給気口に連通したダクトに連通するダクト接続口と、上記中空筐体内において上記ダクト接続口と天井裏側吹出口との間を塞ぐよう上記室内側吹出口に対し傾斜して配置したフィルターとよりなることを特徴とする住宅の換気システム。
【請求項２】
上記外気処理用フィルター装置と上記給気口とを連通したダクトには、湾曲した部分を有することを特徴とする請求項１記載の住宅の換気システム。
【請求項３】
主に水を使う室とこれに隣り合う室との間に天井裏を貫通する遮音壁を設けたことを特徴とする請求項１又は２記載の住宅の換気システム。
【発明の詳細な説明】
【０００１】
【発明の属する技術分野】
本発明は住宅の換気システム、特にボイド型超高層住宅の換気システムに関するものである。
【０００２】
【従来の技術】
事務所などの大空間の居室と違い、住宅の場合は，小割に寝室・子供部屋などのプライベートルームを有し、これらの小部屋（居室）に換気上、採光上有効な窓を取り付けるため、各々が外壁面と接するようなプランニングとなる。しかし、超高層住宅の場合は構造上のバランスを良くするためと、各部屋（居室）を外壁に面するよう効率良く配置する為、真中に吹き抜けを作るボイド型配列とすることが主流となっている。
【０００３】
図８はボイド型超高層住宅を示し、１はボイド型超高層建築物、２はその中心における中空のボイド部（吹き抜け部）、３はその各住宅である。
【０００４】
また、従来の高層建築物１の各住宅３の換気システムにおいては、２４時間稼動の換気扇を用いて、住宅３の室内空気を住宅外部に機械的に排気をし、外部から室内への給気は、ダクトを使用したり（ダクト方式）、ダクトを省略して天井裏の空間を使用したり（天井チャンバー方式）、壁給気口を使用したりして、自然給気により行ない、その際、外気中の埃等を除去するため外気取入口、室内吹出口あるいは壁給気口に外気処理用フィルターを取り付けていた。
【０００５】
【発明が解決しようとする課題】
然しながら、ボイド型になった場合、ボイド内に上昇気流或いは下降気流が発生し、外壁側とボイド側に圧力差が生じ、「給気風量と排気風量のバランスがくずれる」「住宅内部の扉が急に閉まる」などの不具合が発生する。また上記圧力差により住宅内外に圧力差が生じ「玄関扉が開きにくい」などの不具合が発生する。
【０００６】
また、外気処理用フィルターを外気取入口に取り付けた場合はフィルター交換や清掃などのメンテナンスの際、高層階バルコニーでの脚立作業となり、危険な作業となる欠点があった。
【０００７】
また、天井チャンバー方式を用い、天井裏内に埃等が溜まってしまうのを防ぐため外部からの空気をフィルターで濾過するようにした場合には、外気処理用フィルターのメンテナンスができるように、室内の天井にフィルター交換用の点検口を必要とし、美観を損ねる。また、天井裏に入ってのメンテナンスとなるため、一般家庭の素人には作業が困難である。
【０００８】
また、外気処理用フィルターを各室ごとの室内吹出口に取り付けた場合は各室ごとに外気処理用フィルターを交換したり清掃する必要がありメンテナンスに時間がかかる。
【０００９】
また、この天井裏内の埃溜まりを防ぐためダクト方式により外気を給気する場合には天井チャンバー方式に比べてコストが高くなる。
【００１０】
また、建築物は一般に階高を低くし、室内天井を高くしたいが、ダクト方式を使用した場合には、天井裏の容積が大きくなり、階高が高くなり、室内天井が低くなってしまう。
【００１１】
また、ボイド型超高層建築物の場合にはボイドの内側と外側で気圧差が生じる場合があるため、換気口を一方の側に統一して設ける必要があり、他方の側に面する室には壁給気口を設けることができない。
【００１２】
本発明は上記のような欠点を除くようにしたものである。
【００１３】
【課題を解決するための手段】
本発明の住宅の換気システムは、住宅の天井裏内と住宅外とを仕切る外壁に設けた給気口及び排気口と、上記天井裏内と各室内を仕切る天井に設けた外気吹出口及び室内排気口と、上記外気吹出口に設けた外気処理用フィルター装置と、上記外気処理用フィルター装置と上記給気口とを連通した給気ダクトと、上記排気口と上記室内排気口とを連通した排気ダクトと、上記排気ダクトに設けた排気装置とよりなり、上記外気処理用フィルター装置が、中空筐体と、上記中空筐体の室側の面に設けた上記室内吹出口に連通する室内側吹出口と、上記中空筐体の夫々両側面に設けた、天井裏側吹出口と、上記給気口に連通したダクトに連通するダクト接続口と、上記中空筐体内において上記ダクト接続口と天井裏側吹出口との間を塞ぐよう上記室内側吹出口に対し傾斜して配置したフィルターとよりなることを特徴とする。
【００１５】
上記外気処理用フィルター装置と上記給気口とを連通したダクトには、ロックウールやグラスウールなどの吸音性・断熱性のある仕上げを施し、湾曲した部分を有することを特徴とする。
【００１６】
主に水を使う室とこれに隣り合う室との間に天井裏を貫通する遮音壁を設けたことを特徴とする。
【００１７】
【発明の実施の形態】
図１は本発明の住宅の換気システムを示し、４は上記高層建築物１の住宅３の天井裏、５は上記住宅３の洋室、和室、ＬＤＫ等の室、６は上記住宅３のトイレ、洗面所や浴室などの主に水を使う室、７は上記住宅３のバルコニーに面する上記天井裏４の外壁である。
【００１８】
本発明においては、上記外壁７に給気口８を設け、上記各室５の天井に、上記天井裏４内と上記室５内を連通する室内吹出口９を設け、上記室内吹出口９の一つのみに、この室内吹出口９に連通する室内側吹出口１１を下面に有し天井裏側吹出口１２を一側面に有する外気処理用フィルター装置１０を設け、上記給気口８と上記外気処理用フィルター装置１０とをダクト１３により連通する。
【００１９】
また、上記天井裏４の外壁７に排気口１４を設け、上記主に水を使う室６の天井に、上記天井裏４内と上記室６内を連通する室内排気口１５を設け、上記排気口１４と上記室内排気口１５とをダクト１６により連通し、このダクト１６には２４時間稼動の排気用の排気ファン１７を設ける。なお１８は室内が極端に負圧にならないように調整する同時給排気型又は排気型＋専用給気のレンジフード、１９は上記レンジフード１８に設けたダクト、２０はスラブ２１から天井に延びる間仕切り壁、２２は室入口扉の下部に形成した空気流通口（アンダーカットやドアガラリ等）である。
【００２０】
また、本発明においては図１及び図２に示すように、トイレ、洗面所や浴室などの主に水を使う室６から出る音が、天井裏４内を伝わり、上記室内吹出口９を通じて隣の室５内に漏れるのを防止するため、上記水を主に使う室６とこれに隣り合う室５との間の間仕切り壁２０をその階のスラブ２１から、上記天井裏４を貫通して上階のスラブ２１まで延ばし、これに遮音対策を施すようにする。
【００２１】
上記外気処理用フィルター装置１０は図３〜図５に示すように、上記室内側吹出口１１を有する下面と天井裏側吹出口１２を有する一側面とを含む立方体状の中空筐体２３と、上記ダクト１３に接続されるよう上記中空筐体２３の他側面に設けたダクト接続口２４と、上記中空筐体２３内において上記ダクト接続口２４と上記天井裏側吹出口１２との間を塞ぐよう上記室内側吹出口１１に対し略４５°に傾斜して配置したフィルター２５と、上記フィルター２５の下端が嵌合するよう上記中空筐体２３の内壁下部に設けた凹状の固定具２６と、同じく上記フィルター２５の上端を支えるよう上記中空筐体２３の内壁上部に設けたＬ字状の固定具２７と、上記室内側吹出口１１に開閉自在又は着脱自在に設けた吹出グリル２８とにより構成する。
【００２２】
なお、２９は上記吹出グリル２８に設けたフィンであり、図６に示すように、上記フィン２９を傾斜せしめて室内側吹出口１１の開口面積を変化せしめれば風量の調整を行なうことができる。
【００２３】
本発明の住宅の換気システムは上記のような構成であるから、排気ファン１７により機械的に浴室等の主に水を使用する室６の空気を排気せしめれば、間仕切り壁２０の空気流通口２２を介して廊下、室５は夫々負圧になるから、天井裏４の給気口８からダクト１３を介して外気が上記外気処理用フィルター装置１０に給気され、外気はフィルター２５を通じて上記室５及び天井裏４内に吹出し、上記天井裏４内に吹出された外気は各室５の室内吹出口９を通じて、各室５内に吹出され、廊下などを通じて、浴室等の主に水を使用する室６に導入される。
【００２４】
また、フィルター２５の清掃、交換に際しては、図７に示すように、吹出グリル２８を開き、または取り除き、上記フィルター２５を上に押し上げればこれを固定具２６、２７から取り外せるので、上記室内吹出口９から上記フィルター２５を外部に容易に取り外すことができる。
【００２５】
なお、防露対策及び外部騒音の進入対策のため、上記ダクト１３には曲がり部３０を少なくとも1個所設け、ロックウールやグラスウールなどの吸音性・断熱性のある仕上げを施すことが好ましい。
【００２６】
また、上記外気処理用フィルター装置１０の設置位置は外壁７に近い室に設けるのが好ましい。
【００２７】
【発明の効果】
上記のように本発明の住宅の換気システムにおていは、室５内でフィルター交換等のメンテナンスを行なうことができるので、危険を伴わない。
【００２８】
また、外気処理用フィルター装置１０は1個所に設ければ良いため、メンテナンスが容易である。
【００２９】
室内吹出口９をメンテナンス口とするため、天井にフィルター交換用の点検口を設けずに済み、美観を損なわず、コストを安くすることができる。
【００３０】
ダクトは一つの客室の室内吹出口９までしか使用せず、天井裏を利用して外気を各客室に送るので、ダクトの摩擦損失を最小限にすることができ、また、コストも安くすることができる。
【００３１】
また、天井裏の容積を低減することができ、階高を低くし、室内天井を高くできる。
【００３２】
また、各室の吹出口に風量調整機能を持たせているため、風量の調整を室内から容易にできる。
【図面の簡単な説明】
【図１】本発明の住宅の換気システムを用いたボイド型超高層住宅の説明用縦断側面図である。
【図２】本発明の住宅の換気システムを用いたボイド型超高層住宅の主に水を使う室の説明用平面図である。
【図３】本発明の住宅の換気システムに用いる外気処理用フィルター装置の縦断正面図である。
【図４】図３に示す外気処理用フィルター装置の底面図である。
【図５】図３に示す外気処理用フィルター装置の右側面図である。
【図６】図３に示す外気処理用フィルター装置の説明用縦断正面図である。
【図７】図３に示す外気処理用フィルター装置の説明用縦断正面図である。
【図８】ボイド型超高層住宅の横断平面図である。
【符号の説明】
１  ボイド型超高層建築物
２  ボイド部
３  住宅
４  天井裏
５  室
６  水を使う室
７  外壁
８  給気口
９  室内吹出口
１０  フィルター装置
１１  室内側吹出口
１２  天井裏側吹出口
１３  ダクト
１４  排気口
１５  室内排気口
１６  ダクト
１７  排気ファン
１８  レンジフード
１９  ダクト
２０  間仕切り壁
２１  スラブ
２２  空気流通口
２３  中空筐体
２４  ダクト接続口
２５  フィルター
２６  凹状の固定具
２７  Ｌ字状の固定具
２８  吹出グリル
２９  フィン
３０  曲がり部
【図１】
0004043736.tif 000002
【図２】
0004043736.tif 000003
【図３】
0004043736.tif 000004
【図４】
0004043736.tif 000005
【図５】
0004043736.tif 000006
【図６】
0004043736.tif 000007
【図７】
0004043736.tif 000008
【図８】
0004043736.tif 000009